(57)【要約】【課題】クラブヘッド本体の重心位置、重量、バランス、打撃加重、ヘッドスピードの調整を可能にしたゴルフクラブヘッドを提供する。【解決手段】フェース部と、ソール部と、クラウン部とで構成されるゴルフクラブヘッドにおいて、ソール部の側面又は底面の後方にはインサートカプラーが装着される少なくとも一以上の装着穴が設けられ、インサートカプラーの外筒部には鍔状のフランジ部を備えるスリーブ部が形成されると共に、内筒部には重心位置調整錘ネジを螺合可能な雌ネジ部と座繰り穴が形成され、重心位置調整錘ネジの外周面には雌ネジ部に螺合可能な雄ネジ部が形成されると共に、頭部にはネジ込み手段が形成され、ソール部の装着穴にインサートカプラー７を接着剤で固着し、且つ、インサートカプラーの雌ネジ部に重心位置調整錘ネジが螺合されることで、ゴルフクラブヘッド本体の重心位置の調整を行う手段を採る。【選択図】図１
2019154461.tif 000002
【特許請求の範囲】
【請求項１】
フェース部と、ソール部と、クラウン部とで構成されるゴルフクラブヘッドにおいて、
前記ソール部の側面又は底面の後方にはインサートカプラーが装着される少なくとも一以上の装着穴が設けられ
前記インサートカプラーの外筒部には先端に鍔状のフランジ部を備えるスリーブ部が形成されると共に、内筒部には重心位置調整錘ネジを螺合可能な雌ネジ部と座繰り穴が形成され、
前記重心位置調整錘ネジの外周面には前記雌ネジ部に螺合可能な雄ネジ部が形成されると共に、頭部にはネジ込み手段が形成され、
前記ソール部の装着穴に前記インサートカプラーを外方から嵌入させた状態で、前記フランジ部の座面をソール部の外面に接着剤で固着し、且つ、前記インサートカプラーの雌ネジ部に重心位置調整錘ネジが螺合されることで、ゴルフクラブヘッド本体の重心位置の調整を行うことを特徴とする重心位置調整機能付きゴルフクラブヘッド。
【請求項２】
フェース部と、ソール部と、クラウン部とで構成されるゴルフクラブヘッドにおいて、
前記ソール部の側面又は底面の後方にはインサートカプラーが装着される少なくとも一以上の装着穴が設けられ
前記インサートカプラーの外筒部には先端に鍔状のフランジ部を備えるスリーブ部が形成されると共に、内筒部には重心位置調整錘ネジを螺合可能な雌ネジ部と座繰り穴が形成され、
前記重心位置調整錘ネジの外周面には前記雌ネジ部に螺合可能な雄ネジ部が形成されると共に、頭部にはネジ込み手段が形成され、
前記ソール部の内側において装着穴と前記インサートカプラーの内筒部の位置とを合わせた状態で、前記フランジ部の座面をソール部の内面に接着剤で固着し、且つ、前記インサートカプラーの雌ネジ部に重心位置調整錘ネジが螺合されることで、ゴルフクラブヘッド本体の重心位置の調整を行うことを特徴とする重心位置調整機能付きゴルフクラブヘッド。
【請求項３】
前記インサートカプラーが、カーボンファイバーまたはカーボンファイバーを用いた複合材料により成形されていることを特徴とする請求項１または請求項２に記載の重心位置調整機能付きゴルフクラブヘッド。
【請求項４】
前記雌ネジ部が、内側に重心位置調整錘ネジを螺合可能な雌ネジが切られた金属部材から成るスリーブ材を前記インサートカプラーの内筒部に嵌合させることで形成されていることを特徴とする請求項１乃至３のいずれかに記載の重心位置調整機能付きゴルフクラブヘッド。
【請求項５】
前記重心位置調整錘ネジが、ゴルフクラブヘッドに対して比重の大きい１〜１０ｇの重量を有するチタン合金材、タングステン材、ステンレス材、各種メッキ加工された鉄鋼材、銅合金材等の金属部材で形成されていることを特徴とする請求項１乃至４のいずれかに記載の重心位置調整機能付きゴルフクラブヘッド。
【発明の詳細な説明】
【技術分野】
【０００１】
クラブヘッド本体の重心位置、重量、バランス、打撃加重、ヘッドスピードの調整を可能にした重心位置調整機能付きのゴルフクラブヘッドに関する。
【背景技術】
【０００２】
一般に市販されているゴルフクラブの多くは、平均的なアマチュアゴルファーの技量を想定して、真っ直ぐな最大飛距離を容易に得ることを目的とするものであり、それらの多くは、より深く、より低重心、より方向性を重視すると共に、スピン量や圧縮加重、回転方向など、ボールの飛行特性が備わるように開発されている。アマチュアゴルファーは、その様にして開発されたゴルフクラブを使用して、自分のイメージした打撃感触を得る為に、グリップの握り方を操作したり、体の回転や体重移動を確認したりして、ゴルフボールのスピン量や、圧縮加重ならびに回転方向を微妙にコントロールすることによって、目的のポイントへ正確に飛ばすことができるように、日々努力研鑚をしている。
【０００３】
一方、ゴルフボールの飛行特性は、クラブヘッドの重心位置、重心の高低、重量、バランスによって、ゴルフボールに負荷される打撃加重に大きく影響される。特に重心高低差は、ゴルフボールの打出した角度（仰角）に密接な関係を持ち、重心が高くなるとゴルフボールの打出し角度が低くなる傾向から、重心位置や重量配分を種々異なるように工夫した調整機能を装着することができるゴルフクラブの性能が望まれている。
【０００４】
上記における重心位置や重量配分を調整する簡単な手段としては、おおよそ１０ｇから１５ｇ以内の鉛シートをヘッド本体に貼付けてスイングバランスを変える調整用鉛シートが従来より販売されている。該調整用鉛シートは、厚肉の鉛テープの裏面に粘着層が形成されており、必要な大きさ（重量）に切り離したものを粘着層の接着力を利用してヘッドピースの外面に貼着するようにしてある。
【０００５】
しかしながら、このような重量シートをヘッドピースの外面、特にヒット時に地表に接触や擦接するソール表面に貼着した場合、粘着層の接着力の低下や地表との強い接触が見られるため、重量シートの剥離や接着位置ずれが生じ、それが原因で調整したウエイトバランスが狂ったりすることが多々あり、また、ソール部や周側面に調整用鉛シートが貼着されることで、クラブヘッドの重心が上がって打球機能を悪化させるなどの多様の調整不能要因が生じ、さらには、ヘッドピースの外面に貼着されることで、見た目に美観を損なうものであった。
【０００６】
また、上記における重心位置や重量配分を調整する簡単な手段として、ソール部に孔を開けてそこへ雌ネジ部を溶接し、該雌ネジ部に錘ネジを螺着する態様が存在する。
【０００７】
しかしながら、このようなソール部に雌ネジ部を溶接した場合、その溶接痕がソール部に残存してしまうため、見た目に美観を損なうものであると共に、溶接箇所の強度に不安を残すものであって、機能不良や破損の原因となっていた。
【０００８】
上記の調整不能要因を初めとするゴルフクラブヘッドの多くの問題点を解決しようとして、「分離して鋳造したホーゼルを持つマルチピースドライバー」（特許文献１参照）が提案され、公知技術となっている。具体的には、クラウン、ソール、フェース要素及びホーゼルを有し、ホーゼルは金属材料により鋳造され、該ホーゼルはゴルフクラブヘッドの他の部位と一体的に形成されることなく、且つ、該ホーゼルは、鋳造が行われた後に、クラウン、ソール及びフェース要素の少なくとも一つに恒久的に固定されるウッドタイプのゴルフクラブヘッドの提案である。
【０００９】
しかしながら、該提案における重心位置調整手段は、単純にソール部の側面に取り外し可能な重りを受け入れるための少なくとも一つの重り開口を設けているに過ぎず、該重り開口の形状ならびに構造については一切詳細に述べられているものではなく、単に大きい強度と高い耐久性を持ち、より脆弱性の少ない調整機能を備えるホーゼルを有するゴルフクラブヘッドを得ることを目的としたゴルフクラブヘッドの提案であった。
【００１０】
また、重りのゴルフグラブヘッド本体への固定をより確実にした「ゴルフクラブヘッド」（特許文献２参照）が提案され、公知技術となっている。具体的には、取り付け孔が形成されているヘッド本体と、取り付け孔に挿入できるように形成されてなるスリーブと、該スリーブに挿入できるように形成されてなる重りと、重りのスリーブに挿入する方向をした軸を中心に回転することにより、重りがスリーブに対し前記方向沿いの移動を可／不可のいずれかに選択することができる係合手段と、回転を所定の角度かつ一方向のみに制限することができる制限手段とを備えている提案である。
【００１１】
しかしながら、該提案における重心位置調整手段は、ゴルフヘッドのソール部の側面に設けられる取り付け孔を製造段階でプレス加工されるもので、そのプレス加工の際に略カップ状に型押し成型することによって、ひずみやプレス皺、亀裂、肉薄部が発生しやすく、その結果、精度ならびに仕上がり不良の確率が高くなると共に、強度が弱く破損し易いといった問題があった。
【００１２】
さらに、クラブヘッドの重心位置、高低差及び重量、配分、バランス等を簡単に調整可能にした「ゴルフクラブヘッド」（特許文献３参照）が提案され、公知技術となっている。具体的には、所謂ウッド形態のゴルフクラブヘッドを対象とし、少なくとも打撃フェース及びソール、クラウンを含んで構成され、当該ソールのトウ側部、ヒール側部及びバック側部に数種の異重量の重心位置調整錘ネジを水密的に交換可能に装着できるようにし、ヘッド本体の重心位置、重量、バランス、打撃加重、ヘッドスピードが調整可能に構成されている提案である。
【００１３】
しかしながら、該提案における重心位置調整手段は、ソール表部に重心位置調整錘ネジが螺合されるネジ部を形成しなければならず、該ネジ部を形成するにはプレス加工による複雑な工程を必要とするものであり、また機械加工によってネジ部を形成することは、さらなる加工工数ならびに加工コストが必要となるといった問題があった。
【００１４】
本出願人は、以上のような従来から提案されているゴルフクラブヘッドの重心位置調整機能に着目し、製品上では精密かつ安全であると共に、製造上では容易且つ低コストな手段でゴルフクラブヘッドの本体に重心位置調整機能を装備することができないものかとの着想の下、これらを実現可能な重心位置調整機能付きのゴルフクラブヘッドを新たに開発し、本発明にかかる「重心位置調整機能付きゴルフクラブヘッド」の提案に至るものである。
【先行技術文献】
【特許文献】
【００１５】
【特許文献１】特開２０１３−１４６５２６号公報
【特許文献２】実用新案登録第３１４２２７０号公報
【特許文献３】実用新案登録第３１５８６６２号公報
【発明の概要】
【発明が解決しようとする課題】
【００１６】
本発明は、上記問題点に鑑み、クラブヘッド本体の重心位置、重量、バランス、打撃加重、ヘッドスピードの調整を可能にした重心位置調整機能付きゴルフクラブヘッドを提供することを課題とするものである。
【課題を解決するための手段】
【００１７】
上記課題を解決するため、本発明は、フェース部と、ソール部と、クラウン部とで構成される重心位置調整機能付きゴルフクラブヘッドであって、ソール部の側面又は底面の後方にはインサートカプラーが装着される少なくとも一以上の装着穴が設けられ、インサートカプラーの外筒部には先端に鍔状のフランジ部を備えるスリーブ部が形成されると共に、内筒部には重心位置調整錘ネジを螺合可能な雌ネジ部と座繰り穴が形成され、重心位置調整錘ネジの外周面には前記雌ネジ部に螺合可能な雄ネジ部が形成されると共に、頭部にはネジ込み手段が形成され、ソール部の装着穴にインサートカプラーを外方から嵌入させた状態で、フランジ部の座面をソール部の外面に接着剤で固着し、且つ、インサートカプラーの雌ネジ部に重心位置調整錘ネジが螺合されることで、ゴルフクラブヘッド本体の重心位置の調整を行う手段を採用する。
【００１８】
また、本発明は、フェース部と、ソール部と、クラウン部とで構成される重心位置調整機能付きゴルフクラブヘッドであって、ソール部の側面又は底面の後方にはインサートカプラーが装着される少なくとも一以上の装着穴が設けられ、インサートカプラーの外筒部には先端に鍔状のフランジ部を備えるスリーブ部が形成されると共に、内筒部には重心位置調整錘ネジを螺合可能な雌ネジ部と座繰り穴が形成され、重心位置調整錘ネジの外周面には前記雌ネジ部に螺合可能な雄ネジ部が形成されると共に、頭部にはネジ込み手段が形成され、ソール部の内側において装着穴とインサートカプラーの内筒部の位置とを合わせた状態で、フランジ部の座面をソール部の内面に接着剤で固着し、且つ、インサートカプラーの雌ネジ部に重心位置調整錘ネジが螺合されることで、ゴルフクラブヘッド本体の重心位置の調整を行う手段を採用する。
【００１９】
さらに、本発明は、前記インサートカプラーが、カーボンファイバーまたはカーボンファイバーを用いた複合材料により成形されている手段を採用し得る。
【００２０】
またさらに、本発明は、前記雌ネジ部が、内側に重心位置調整錘ネジを螺合可能な雌ネジが切られた金属部材から成るスリーブ材を前記インサートカプラーの内筒部に嵌合させることで形成されている手段を採用し得る。
【００２１】
さらにまた、本発明は、前記重心位置調整錘ネジが、ゴルフクラブヘッドに対して比重の大きい１〜１０ｇの重量を有するチタン合金材、タングステン材、ステンレス材、各種メッキ加工された鉄鋼材、銅合金材等の金属部材で形成されている手段を採用し得る。
【発明の効果】
【００２２】
本発明にかかる重心位置調整機能付きゴルフクラブヘッドによれば、重心位置調整錘ネジの受け入れ側として、従来のようにプレス加工によりゴルフクラブヘッドと一体成型したり溶接したりするのではなく、ゴルフクラブヘッドと別体のインサートカプラーを採用しているため、プレス加工によるひずみやプレス皺、亀裂、肉薄部の発生、溶接による溶接痕を無くして、高強度であって破損し難く、しかも美観に優れた高精度の重心位置調整機能付きゴルフクラブヘッドの提供が可能になる、といった従来にない優れた効果を奏するものである。
【００２３】
また、本発明にかかる重心位置調整機能付きゴルフクラブヘッドによれば、プレス加工や溶接加工を不要とし、別体として生産されたインサートカプラーをソール部に接着すれば足りるため、ゴルフクラブヘッドへの取り付け手段が極めて容易であって、コストパフォーマンスに優れたゴルフクラブを提供することができる、といった優れた効果を奏する。
【図面の簡単な説明】
【００２４】
【図１】本発明にかかる重心位置調整機能付きゴルフクラブヘッドの実施形態を示す断面説明図である。（実施例１）
【図２】本発明にかかる重心位置調整機能付きゴルフクラブヘッドの実施形態を示す分解斜視図である。
【図３】本発明にかかる重心位置調整機能付きゴルフクラブヘッドの実施形態を示す外観図である。
【図４】本発明にかかる重心位置調整機能付きゴルフクラブヘッドの他の実施形態を示す断面説明図である。（実施例２）
【図５】本発明にかかる重心位置調整機能付きゴルフクラブヘッドの他の実施形態を示す外観図である。
【図６】本発明にかかる重心位置調整機能付きゴルフクラブヘッドの他の実施形態を示す断面説明図である。（実施例３）
【図７】本発明にかかる重心位置調整機能付きゴルフクラブヘッドの他の実施形態を示す分解斜視図である。
【図８】本発明にかかる重心位置調整機能付きゴルフクラブヘッドの他の実施形態を示す外観図である。
【発明を実施するための形態】
【００２５】
本発明の重心位置調整機能付きゴルフクラブヘッド１は、フェース部２と、ソール部３と、クラウン部４とで構成され、ソール部３の側面又は底面の後方にはインサートカプラー７が装着される少なくとも一以上の装着穴６が設けられ、インサートカプラー７の外筒部には先端に鍔状のフランジ部１１を備えるスリーブ部８が形成されると共に、内筒部には重心位置調整錘ネジ１４を螺合可能な雌ネジ部９と座繰り穴１０が形成され、重心位置調整錘ネジ１４の外周面には前記雌ネジ部９に螺合可能な雄ネジ部１５が形成されると共に、頭部にはネジ込み手段１６が形成され、ソール部３の装着穴６にインサートカプラー７を接着剤１３で固着し、且つ、インサートカプラー７の雌ネジ部９に重心位置調整錘ネジ１４が螺合されることで、ゴルフクラブヘッド本体の重心位置の調整を行う手段を採用したことを最大の特徴とする。
以下、本発明にかかる重心位置調整機能付きゴルフクラブヘッド１の実施形態を、図面に基づき説明する。
【００２６】
尚、本発明にかかる重心位置調整機能付きゴルフクラブヘッド１は、以下に述べる実施例に限定されるものではなく、本発明の技術的思想の範囲内、すなわち同一の作用効果を発揮できる形状や寸法、材質等の範囲内で適宜変更することができるものである。
【実施例１】
【００２７】
図１乃至図３は、本発明にかかる重心位置調整機能付きゴルフクラブヘッド１の第一の実施形態（実施例１）を示しており、図１は断面説明図、図２は分解斜視図、図３は外観図である。
本実施形態にかかる重心位置調整機能付きゴルフクラブヘッド１は、フェース部２と、ソール部３と、クラウン部４と、で構成されている。なお、これらゴルフクラブヘッド１を構成するフェース部２、ソール部３、クラウン部４の素材については、特に限定はなく、チタンその他の金属・合金など、定法の素材が用いられる。
【００２８】
ソール部３は、フェース部２と、クラウン部４とによってゴルフクラブヘッド１を構成するもので、ソール部３の側面又は底面の後方には、少なくとも一以上の装着穴６が設けられている。
【００２９】
装着穴６は、インサートカプラー７を嵌入するためのものである。該装着穴６の形状は、インサートカプラー７のフランジ部１１により装着穴６全体が被覆可能であれば特に限定はないが、少なくともインサートカプラー７のスリーブ部８を嵌入可能な形状に形成される。
【００３０】
インサートカプラー７は、先端に鍔状のフランジ部１１を備えるスリーブ部８が外筒部に形成されている。また、内筒部には、重心位置調整錘ネジ１４を螺合可能な雌ネジ部９が形成されると共に、重心位置調整錘ネジ１４の頭部を埋没させる座繰り穴１０が形成されている。
【００３１】
なお、インサートカプラー７におけるフランジ部１１の大きさについては、特に限定はないが、前記ソール部３に設けられた装着穴６全体を被覆可能であって、且つ、ソール部３の外面との接着領域が確保できる大きさとする。また、該フランジ部１１の厚さについては、ソール部３の外面に接着される関係上、出っ張りが目立たないよう可能な限り肉薄とすることが望ましいが、最低限としてインサートカプラー７全体を支持可能な強度は確保される。
【００３２】
ところで、かかるインサートカプラー７は、その全体の材質について特に限定はないが、金属との接着性その他の相性が良く、加工性に優れ且つ強度的にも優れたカーボンファイバーまたはカーボンファイバーを用いた複合材料（例えばカーボンファイバー強化プラスチック）によって成形されることが好ましい。
【００３３】
また、インサートカプラー７の内筒部に形成される雌ネジ部９について、図２（ａ）に示すようなインサートカプラー７自体に直接形成する態様のほか、図２（ｂ）に示すように、内側に重心位置調整錘ネジ１４を螺合可能な雌ネジ９が切られた金属部材から成るスリーブ材１２をインサートカプラー７の内筒部に嵌合させることで形成する態様が考え得る。これは、重心位置調整錘ネジ１４を螺合する際に強い回転力が加わるため、既述のようにインサートカプラー７を金属ではなくカーボンファイバー等で成形し且つ雌ネジ部９を直接形成した態様の場合に、その回転力に耐えられず雌ネジ部９が欠損してしまう可能性が想定される。そこで、雌ネジ部９を金属部材から成るスリーブ材１２で形成することで、強い回転力にも耐え得るようにすることができる。
【００３４】
重心位置調整錘ネジ１４は、その外周面にインサートカプラー７の雌ネジ部９に螺合する雄ネジ部１５が形成されている。また、重心位置調整錘ネジ１４の頭部には、ドライバーや六角レンチ等の工具による螺合のためのネジ込み手段１６が形成されている。かかる重心位置調整錘ネジ１４の材質としては、特に限定するものではないが、錘という機能を発揮させるべく、例えばゴルフクラブヘッド１に対して比重の大きい１〜１０ｇの重量を有するチタン合金材、タングステン材、ステンレス材、各種メッキ加工された鉄鋼材、銅合金材等の金属部材で形成される。
【００３５】
以上の各構成要素により、本実施形態にかかる重心位置調整機能付きゴルフクラブヘッド１が構成されている。かかる構成要素による本実施形態の加工手順は、以下の通りである。
（１）ソール部３の装着穴６にインサートカプラー７を外方から嵌入させる。
（２）インサートカプラー７におけるフランジ部１１の座面１１ａとソール部３の外面との重複箇所を接着剤１３によって固着する。
（３）インサートカプラー７の雌ネジ部９に重心位置調整錘ネジ１４を螺合する。
【００３６】
なお、ソール部３とインサートカプラー７とを固着する接着剤１３については、特にその種類を限定するものではなく、互いを恒久的かつ安定的に接着することができるアクリル系接着剤など、適宜選択され用いられる。
【００３７】
以上のように、本実施形態にかかる重心位置調整機能付きゴルフクラブヘッド１は、重心位置調整錘ネジ１４の受け入れ側として、ゴルフクラブヘッド１と別体のインサートカプラー７を採用することで、不良品発生頻度が高く加工手間が煩雑であるプレス加工や溶接加工が不要であるため、生産性とコストパフォーマンスの向上に資すると共に、不良品が発生せず、高強度で高精度な、しかも美観にも優れた重心位置調整機能付きゴルフクラブヘッド１の提供が可能となる。
【実施例２】
【００３８】
本発明にかかる重心位置調整機能付きゴルフクラブヘッド１の第二の実施形態について、図４乃至図５を用いて説明する。なお、上記実施例１と同様の部分は省略する。
図４乃至図５は、本発明にかかる重心位置調整機能付きゴルフクラブヘッド１の第二の実施形態（実施例２）を示しており、図４は断面説明図、図５は外観図である。
【００３９】
本実施形態にかかる重心位置調整機能付きのゴルフクラブヘッド１の構成要素は、基本的に前記実施例１と変わるところはなく、相違する点は加工手順であり、かかる加工手順の相違に伴う構成要素の細部が若干異なるものである。
【００４０】
すなわち、本実施形態の加工手順は、以下の通りである。
（１）ソール部３の内側において装着穴６とインサートカプラー７の内筒部の位置とを合わせる。
（２）インサートカプラー７におけるフランジ部１１の座面１１ａとソール部３の内面との重複箇所を接着剤１３によって固着する。
（３）インサートカプラー７の雌ネジ部９に重心位置調整錘ネジ１４を螺合する。
【００４１】
以上の加工手順を採ることにより、インサートカプラー７におけるフランジ部１１の構造が若干異なる。すなわち、上記実施例１では、該フランジ部１１の厚さについて、ソール部３の外面に接着される関係上、出っ張りが目立たないよう可能な限り肉薄とする態様について述べたが、本実施形態においては、フランジ部１１がソール部３の内側に隠れるため、その様な厚さの限定はない。
【００４２】
以上のように、本実施形態にかかる重心位置調整機能付きゴルフクラブヘッド１は、上記実施例１と同様、重心位置調整錘ネジ１４の受け入れ側として、ゴルフクラブヘッド１と別体のインサートカプラー７を採用することで、不良品発生頻度が高く加工手間が煩雑であるプレス加工や溶接加工が不要であるため、生産性とコストパフォーマンスの向上に資すると共に、不良品が発生せず、高強度で高精度な、しかも美観にも優れた重心位置調整機能付きゴルフクラブヘッド１の提供が可能となる。
【実施例３】
【００４３】
本発明にかかる重心位置調整機能付きゴルフクラブヘッド１の第三の実施形態について、図６乃至図８を用いて説明する。なお、上記実施例１または実施例２と同様の部分は省略する。
図６乃至図８は、本発明にかかる重心位置調整機能付きゴルフクラブヘッド１の第三の実施形態（実施例３）を示しており、図６は断面説明図、図７は分解斜視図、図８は外観図である。
【００４４】
本実施形態にかかる重心位置調整機能付きのゴルフクラブヘッド１は、ソール部３における装着穴６の形状およびインサートカプラー７の形状に特徴を有するものである。
【００４５】
本実施形態にかかる装着穴６の形状は、図面に示すように、ソール部３の底面に大きく設けられており、また、本実施形態にかかるインサートカプラー７の形状は、その大きく開口した装着穴６の全体を被覆すべく、フランジ部１１が大きく形成されており、且つ、複数のインサートカプラー７が、該フランジ部１１を介して一体成形されている。
【００４６】
ところで、図面に示すように、かかるインサートカプラー７のフランジ部１１が大きく形成されていることで、該フランジ部１１における任意の箇所に、種々の凹凸模様２０を付することも可能である。ゴルフクラブヘッド１において、空力や見た目のデザインから、ソール部３の底面に種々の凹凸模様２０が付される場合が存する。従来、この凹凸模様２０は、プレス加工により付される場合がほとんどであり、かかるプレス加工の弊害については、既に述べた通りである。本実施形態では、かかる凹凸模様２０について、プレス加工によらずに、ゴルフクラブヘッド１と別体のインサートカプラー７のフランジ部１１に予め付しておく態様を採り得る。
【００４７】
以上のように、本実施形態にかかる重心位置調整機能付きゴルフクラブヘッド１は、上記実施例１及び実施例２と同様の作用効果に加えて、複数のインサートカプラー７を装着する際に１回の接着作業で済むことから、生産性の向上が見込まれると共に、プレス加工によらずに凹凸模様２０を付すことが可能であることから、加工容易性と高強度並びに高精度な重心位置調整機能付きゴルフクラブヘッド１の提供が可能となる。
【産業上の利用可能性】
【００４８】
本発明にかかる重心位置調整機能付きゴルフクラブヘッド１は、重心位置調整機能をゴルフクラブヘッド１のソール部３における側面ならびに底面の何れの任意の位置に装着することができることから、ウッド系のゴルフクラブはもとより、アイアンクラブやパタークラブにも幅広く応用することもできるもので、その産業上の利用可能性は多大なものがあるものと思料される。
【符号の説明】
【００４９】
１    ゴルフクラブヘッド
２    フェース部
３    ソール部
４    クラウン部
６    装着穴
７    インサートカプラー
８    スリーブ部
９    雌ネジ部（雌ネジ）
１０    座繰り穴
１１    フランジ部
１１ａ  座面
１２    スリーブ材
１３    接着剤
１４    重心位置調整錘ネジ
１５    雄ネジ部
１６    ネジ込み手段
２０    凹凸模様
【図１】
2019154461.tif 000003
【図２】
2019154461.tif 000004
【図３】
2019154461.tif 000005
【図４】
2019154461.tif 000006
【図５】
2019154461.tif 000007
【図６】
2019154461.tif 000008
【図７】
2019154461.tif 000009
【図８】
2019154461.tif 000010
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
フェース部と、ソール部と、クラウン部とで構成されるゴルフクラブヘッドにおいて、
前記ソール部の側面又は底面の後方にはインサートカプラーが装着される少なくとも一以上の装着穴が設けられ
前記インサートカプラーの外筒部には先端に鍔状のフランジ部を備えるスリーブ部が形成されると共に、内筒部には内側に重心位置調整錘ネジを螺合可能な雌ネジが切られた金属部材から成るスリーブ材を嵌合させることで形成された雌ネジ部と座繰り穴が形成され、
前記重心位置調整錘ネジの外周面には前記雌ネジ部に螺合可能な雄ネジ部が形成されると共に、頭部にはネジ込み手段が形成され、
前記ソール部の装着穴に前記インサートカプラーを外方から嵌入させた状態で、前記フランジ部の座面をソール部の外面に接着剤で固着し、且つ、前記インサートカプラーの雌ネジ部に重心位置調整錘ネジが螺合されることで、ゴルフクラブヘッド本体の重心位置の調整を行うことを特徴とする重心位置調整機能付きゴルフクラブヘッド。
【請求項２】
フェース部と、ソール部と、クラウン部とで構成されるゴルフクラブヘッドにおいて、
前記ソール部の側面又は底面の後方にはインサートカプラーが装着される少なくとも一以上の装着穴が設けられ
前記インサートカプラーの外筒部には先端に鍔状のフランジ部を備えるスリーブ部が形成されると共に、内筒部には内側に重心位置調整錘ネジを螺合可能な雌ネジが切られた金属部材から成るスリーブ材を嵌合させることで形成された雌ネジ部と座繰り穴が形成され、
前記重心位置調整錘ネジの外周面には前記雌ネジ部に螺合可能な雄ネジ部が形成されると共に、頭部にはネジ込み手段が形成され、
前記ソール部の内側において装着穴と前記インサートカプラーの内筒部の位置とを合わせた状態で、前記フランジ部の座面をソール部の内面に接着剤で固着し、且つ、前記インサートカプラーの雌ネジ部に重心位置調整錘ネジが螺合されることで、ゴルフクラブヘッド本体の重心位置の調整を行うことを特徴とする重心位置調整機能付きゴルフクラブヘッド。
【請求項３】
前記インサートカプラーが、カーボンファイバーまたはカーボンファイバーを用いた複合材料により成形されていることを特徴とする請求項１または請求項２に記載の重心位置調整機能付きゴルフクラブヘッド。
【請求項４】
前記重心位置調整錘ネジが、ゴルフクラブヘッドに対して比重の大きい１〜１０ｇの重量を有するチタン合金材、タングステン材、ステンレス材、各種メッキ加工された鉄鋼材、銅合金材等の金属部材で形成されていることを特徴とする請求項１乃至３のいずれかに記載の重心位置調整機能付きゴルフクラブヘッド。
【手続補正２】
【補正対象書類名】明細書
【補正対象項目名】００２０
【補正方法】変更
【補正の内容】
【００２０】
またさらに、本発明は、前記雌ネジ部が、内側に重心位置調整錘ネジを螺合可能な雌ネジが切られた金属部材から成るスリーブ材を前記インサートカプラーの内筒部に嵌合させることで形成されている手段を採用する。
【手続補正３】
【補正対象書類名】明細書
【補正対象項目名】００３３
【補正方法】変更
【補正の内容】
【００３３】
また、インサートカプラー７の内筒部に形成される雌ネジ部９について、図２に示すように、内側に重心位置調整錘ネジ１４を螺合可能な雌ネジ９が切られた金属部材から成るスリーブ材１２をインサートカプラー７の内筒部に嵌合させることで形成する態様を採用する。これは、重心位置調整錘ネジ１４を螺合する際に強い回転力が加わるため、既述のようにインサートカプラー７を金属ではなくカーボンファイバー等で成形し且つ雌ネジ部９を直接形成した態様の場合に、その回転力に耐えられず雌ネジ部９が欠損してしまう可能性が想定される。そこで、雌ネジ部９を金属部材から成るスリーブ材１２で形成することで、強い回転力にも耐え得るようにすることができる。
【手続補正４】
【補正対象書類名】図面
【補正対象項目名】図２
【補正方法】変更
【補正の内容】
【図２】
2019154461.tif 000011